(57)【特許請求の範囲】
【請求項１】
可視光下では無色である二種類以上の蛍光インキを用い、前記蛍光インキの隣合った二色の重なり部分には、一方の色の網点面積率と、もう一方の色の網点面積率の連続的な変化により階調を与えた複数の部分版を用いた印刷用版面作製方法であって、任意の方向に網点面積率を連続的に変化させるため、文字を含む線画又はベタ模様もしくはこの両方を有する画像を、三角関数、ベジエ曲線またはスプライン曲線など媒介変数を用いて描く曲線または直線で形成し、前記曲線または直線を微小領域に有限個に分割し、前記分割した各微小領域に番号付けし、各微小領域の番号を変数として網点面積率を連続的に変化させることを特徴とする文字を含む線画またはベタ模様もしくはこの両方を有する不可視型蛍光印刷用版面作製方法。
【発明の詳細な説明】
【０００１】
【発明の属する技術分野】
本発明は主に、銀行券、証券類、パスポートまたは各種入場券などに利用されている、蛍光印刷物及びその印刷方式に関するものである。
【０００２】
【従来の技術】
通常光の下では認識できない蛍光印刷物は、偽造防止技術のうちの一つとして、銀行券を初めとする有価証券類に広く使われている。しかし偽造者の技術向上により、簡単な蛍光印刷物では類似品の偽造の危険性が増大してきている。そのため、二色以上の蛍光インキを使用して、偽造防止効果を高めることが多くなってきている。
【０００３】
二色以上の蛍光インキを使用して、偽造防止効果を高める印刷方法として、印刷機のインキを供給するインカーに、二色のインキをデバイダーと呼ばれる堰板を介して配置することにより、二色の重なり部分を作り、印刷方向に対し垂直な方向に連続的に色を変化させる印刷方法が、通常の証券印刷では広く使用されている。
【０００４】
また、本出願人がすでに、特公平５−６４６００号公報「刷色が連続的に変化する多色印刷物及びその印刷方法」に示したように、二色の重なり部分を網点面積率の変化または万線の変化により階調を与えて、任意の方向に連続的に色変化を起こさせる方法を提供している。
【０００５】
また、蛍光インキによる偽造防止効果を高めるために、蛍光インキを複数色用いて連続的に色が変化する印刷を行う際は、一般に使用されている色インキでは、減法混色により混色部分は暗くなるのに対して、蛍光インキ同士の混色では加法混色となる点から、特開平７−１２５４０３号公報「印像形成方法」に示されるのような方法では、混色部分の色が白色に近づき、色味が明確でなくなり、連続的に変化する効果が薄れてくるなどの問題があった。
【０００６】
また、印刷刷色が目に見えないことから刷色管理が難しく、通常この印刷方式を行うため、インカーを分割するデバイダーを用いる方法では、色調整が非常に困難であり、連続印刷作業性に非常に問題があった。
【０００７】
【発明が解決しようとする課題】
以上詳述したように、従来の、蛍光インキを用いて連続的に色を変化させる印刷は、混色の部分が加法混色であるということ、また蛍光インキということで刷色管理が難しく、色調整や連続印刷作業性に問題があった。
【０００８】
また、蛍光印刷時において、連続的に蛍光色を変化させる版面設計は、直線方向や放射線方向に関しては、従来のグラデーション等を用いれば可能であるが、線画の任意の方向に対する蛍光色変化に関しては、手作業の部分が多く、数値管理の技術が確立していなかった。
【００１０】
本発明は、可視光下では無色である二種類以上の蛍光インキを用い、前記蛍光インキの隣合った二色の重なり部分には、一方の色の網点面積率と、もう一方の色の網点面積率の連続的な変化により階調を与えた複数の部分版を用いた印刷用版面作製方法で、任意の方向に網点面積率を連続的に変化させるため、文字を含む線画またはベタ模様もしくはこの両方を有する画像を、三角関数、ベジエ曲線またはスプライン曲線など媒介変数を用いて描く曲線または直線で形成し、前記曲線または直線を微小領域に有限個に分割し、前記分割した各微小領域に番号付けし、各微小領域の番号を変数として網点面積率を連続的に変化させることを特徴とする文字を含む線画またはベタ模様もしくはこの両方を有する不可視型蛍光印刷用版面作製方法である。
【００１１】
【発明の実施の形態】
本発明では単色部分についてはベタで印刷し、隣合った蛍光インキ同士の重ね合わせ部分については、一方の色の網点面積率を０％から１００％に連続変化させ、もう一方の色の網点面積率を逆に１００％から０％に変化させ、双方の面積率の和を５０％から１５０％の間とすることにより連続的に色変化を起こさせる。特に、双方の単色の輝度が同じで面積率の和が１００％の場合、単色と混合色が一定輝度で発光し、発光色の色味も両者の中間色で、認識し易い連続変化したものが得られる。
【００１２】
また、印刷の単色部分はそのままで、重ね合わせの混色部分のみ網点を用いて版面を作製する。その際、網点の線数は１５０線以上であれば網点が視認しにくくなり、２５０線を越えると階調が出にくくなるため、その間の線数で印刷することが望ましい。印刷方式は、オフセット印刷や凸版印刷など、単色刷りと網点印刷ができる印刷方式であるならば可能である。
【００１３】
また、文字を含む線画またはベタ模様について、任意の方向に網点面積率を連続的に変化させる方法として、これらの画像を媒介変数によって表せる曲線または直線で形成し、前記媒介変数を用い、画像の全部または一部を微小領域に有限個に分割し、網点面積率が最大のところから網点面積率が最小のところまで、各微小領域に順番に番号を付け、それぞれの領域に、番号に応じた網点面積率を与える事により、連続的に色が変化するあらゆる図形が表現できる。
【００１４】
【実施例】
図１は、本発明の不可視型多色蛍光印刷物を構成する蛍光インキの隣合った二色の重なり部分を示す概念図である。図に示すように、一色目の蛍光インキのベタ部分（１）に続く網点部分（２）は、網点面積率が１００％から０％に連続的に変化し、また二色目の蛍光インキは、前記一色目の蛍光インキの網点面積率１００％の位置より網点部分（２）が始まり、前記二色目の網点面積率が０％から１００％と順次連続的に変化しベタ部分（１）となるので、前記一色目と二色目のそれぞれの蛍光に対応した版面を、ベタ部分はそのままで、色の重なり部分は網点面積率１００％から０％に変化した版面をそれぞれ作製する。
【００１５】
図２は、前記隣合った二色の重なり部分の網点面積率の和を１００％にすることにより、蛍光発光強度が一定になり色変化が認識しやすいことを示す。また、網点で使用するスクリーン線数を１７５線とすると、色変化の階調が顕著で、かつ網点が認識しにくいという原理をより具体的に示すために、文字を同心円に配置させた図の実例（３）である。
【００１６】
前記図２の実例（３）を三色に分割する際に、重なり部分の網点面積率を１００％から０％に変化させて、図３（４）、図４（５）、図５（６）に示すような各インキの部分に分割し、それぞれに対応した版面を作製する。
【００１７】
前記作製したそれぞれの版に対応した蛍光インキを用いて印刷することにより、図６に示すような、一色目（７）、二色目（８）、三色目（９）及び混色部分（１０）で表現される、印刷方向に依存しない、連続的に蛍光色が変化する偽造防止効果に優れた印刷物（１１）が得られる。
【００１８】
図７の（ａ）、（ｂ）は、三角関数を用いて形成された線画を部分的に微小領域に１０１個に分割し、各微小領域に番号を付け、各番号に比例した網点面積率を各微小領域に与え、網点面積率を変化させ作製した版面であり、図７（ａ）の一色目（１２）と図７（ｂ）の二色目（１３）の版面を刷り重ねることにより、図７（ｃ）示すような、本発明の連続的に蛍光色が変化する印刷物（１５）が得られる。図７（ｄ）は、前記図７（ａ）の一色目（１２）の（１４）の部分の拡大図である。微小領域に分割された番号ｎを付けた各領域に、一色目は網点面積率をｎ％、二色目は網点面積率を（１００−ｎ）％とし、網点面積率を制御している図である。
【００１９】
【発明の効果】
本発明の不可視型多色印刷物の作製方法を用いることによって、複数の蛍光インキを使い任意の方向に連続的に色が変化する印刷物を作ることができる。また、隣合った二色の重なり部分は網点を利用しているため、印刷方向に依存しない蛍光色の連続変化が得られる。本発明の印刷物は通常無色であるが、刷色管理はベタパッチの測定のみで可能であるので一定の品質の印刷が容易である。また、混色部分も発光が白っぽくならず、単色部とほぼ同じ輝度が得られ、発色性も良い。更に、隣合った二色の重なり部分が網点で構成されていることも、蛍光印刷であるということから網点がぼやけるため、全体にベタで印刷されているように見えるので、色味も認識しやすい連続的に変化する印刷物が得られる。
【図面の簡単な説明】
【図１】二色の網点面積率の関係を示す図。
【図２】文字を同心円に配置させた図。
【図３】一色目の版面を示す図。
【図４】二色目の版面を示す図。
【図５】三色目の版面を示す図。
【図６】一、二、三色を重ね合わせた印刷物を示す図。
【図７】線画を部分的に微小領域に分割し、網点面積率を変化させた版面を示す図。
【符号の説明】
１    ベタ部分
２    網点部分
７    一色目
８    二色目
９    三色目
１０  混色部分
１２  一色目
１３  二色目
【図１】
0003574830.tif 000002
【図２】
0003574830.tif 000003
【図３】
0003574830.tif 000004
【図４】
0003574830.tif 000005
【図５】
0003574830.tif 000006
【図６】
0003574830.tif 000007
【図７】
0003574830.tif 000008